(57)【特許請求の範囲】
【請求項１】
内容物を収容している内容物収容部と、表示板とを備える包装体であって、
内容物収容部が、前面板及び背面板を備え、かつ、その上下面及び両側面が封止されており、
表示板が、前記前面板と平行に、内容物収容部の上面から延出して配置されており、かつ、光学的に読み取り可能な可視情報がこの表示板に表示されていると共に、
前記前面板と可視情報との間の距離が６〜２０ｃｍでスマートフォンを前記前面板に重ねたとき前記可視情報を読み取ることができ、
前記表示板が背面板の延長上、又は前面板と背面板との中間に位置しており、
前記スマートフォンを重ねる位置を示す位置ガイドを、前面板に備えることを特徴とする包装体。
【請求項２】
内容物を収容している内容物収容部と、表示板とを備える包装体であって、
内容物収容部が、前面板及び背面板を備え、かつ、その上下面及び両側面が封止されており、
表示板が、前記前面板と平行に、内容物収容部の上面から延出して配置されており、かつ、光学的に読み取り可能な可視情報がこの表示板に表示されていると共に、
前記前面板と可視情報との間の距離が、スマートフォンを前記前面板に重ねたとき、このスマートフォンに内蔵するカメラの焦点距離を調節することなく、前記可視情報を読み取ることができる距離であり、
前記表示板が背面板の延長上に位置しており、
前記スマートフォンを重ねる位置を示す位置ガイドを、前面板に備えることを特徴とする包装体。
【請求項３】
前記位置ガイドが印刷画像で構成されていることを特徴とする請求項１または２に記載の包装体。
【請求項４】
前記位置ガイドが、包装体の外面側に向けて突出する凸部で構成されていることを特徴とする請求項１または２に記載の包装体。
【請求項５】
前記凸部の高さが０．０１〜１．００ｍｍであることを特徴とする請求項４に記載の包装体。
【請求項６】
前記位置ガイドが、スマートフォンの面積の２５％以上が前面板に重なる位置に配置されていることを特徴とする請求項１〜５のいずれかに記載の包装体。
【発明の詳細な説明】
【技術分野】
【０００１】
本発明は、光学的に読み取り可能な可視情報を表示した包装体に関する。この可視情報は、スマートフォン等の携帯情報端末に内蔵されたカメラで撮影することにより、その情報を読み取ることができる。
【背景技術】
【０００２】
包装体の外側に可視情報を表示し、この可視情報を光学機器によって読み取ることができるものは周知である。例えば、各種商品の包装体にはバーコードが表示されていることが通常である。そして、レジにてこのバーコードを光学的に読み取ることにより、その商品の内容や価格を認識することができる。
【０００３】
また、ＱＲコード（登録商標）を表示した包装体もよく知られている。このＱＲコード(登録商標）を、スマートフォンに内蔵したカメラで撮影し読み取ることにより、製造メーカーや販売元のホームページにアクセスすることができる。
【０００４】
このような包装体は、例えば、特許文献１に記載されている。特許文献１は、このような表示の磨耗を防止するため、包装体の外面に窓を設け、この窓から前記可視情報が透視できるように構成したものである。
【先行技術文献】
【特許文献】
【０００５】
【特許文献１】実用新案登録第３１５８８６１号公報
【発明の概要】
【発明が解決しようとする課題】
【０００６】
ところで、スマートフォンに内蔵されたカメラで前記可視情報を撮影する際には、スマートフォンと可視情報との距離に応じて、その焦点距離を調節する必要がある。また、一般にスマートフォンは手で支えて撮影するため、手振れのために読み取れない場合がある。
【０００７】
そこで、本発明は、スマートフォンを固定してその手振れを防止し、しかも、焦点調節することなく、この可視情報を読み取ることができる包装体を提供することを目的とする。
【０００８】
なお、本発明の包装体では、スマートフォンのほか、カメラを内蔵する任意の携帯情報端末を使用して、この可視情報を読み取ることも可能である。例えば、携帯電話端末である。この場合にも、スマートフォンを固定する場合と同じ位置に携帯電話端末を固定して、焦点調節することなく、この可視情報を読み取ることができる。
【課題を解決するための手段】
【０００９】
すなわち、請求項１に記載の発明は、内容物を収容している内容物収容部と、表示板とを備える包装体であって、
内容物収容部が、前面板及び背面板を備え、かつ、その上下面及び両側面が封止されており、
表示板が、前記前面板と平行に、内容物収容部の上面から延出して配置されており、かつ、光学的に読み取り可能な可視情報がこの表示板に表示されていると共に、
前記前面板と可視情報との間の距離が６〜２０ｃｍでスマートフォンを前記前面板に重ねたとき前記可視情報を読み取ることができ、
前記表示板が背面板の延長上、又は前面板と背面板との中間に位置しており、
前記スマートフォンを重ねる位置を示す位置ガイドを、前面板に備えることを特徴とする包装体である。
【００１０】
また、請求項２に記載の発明は、内容物を収容している内容物収容部と、表示板とを備える包装体であって、
内容物収容部が、前面板及び背面板を備え、かつ、その上下面及び両側面が封止されており、
表示板が、前記前面板と平行に、内容物収容部の上面から延出して配置されており、かつ、光学的に読み取り可能な可視情報がこの表示板に表示されていると共に、
前記前面板と可視情報との間の距離が、スマートフォンを前記前面板に重ねたとき、このスマートフォンに内蔵するカメラの焦点距離を調節することなく、前記可視情報を読み取ることができる距離であり、
前記表示板が背面板の延長上に位置しており、
前記スマートフォンを重ねる位置を示す位置ガイドを、前面板に備えることを特徴とする包装体である。
【００１１】
また、請求項３に記載の発明は、前記位置ガイドが印刷画像で構成されていることを特徴とする請求項１または２に記載の包装体である。
【００１２】
また、請求項４に記載の発明は、前記位置ガイドが、包装体の外面側に向けて突出する凸部で構成されていることを特徴とする請求項１または２に記載の包装体である。
【００１３】
また、請求項５に記載の発明は、前記凸部の高さが０．０１〜１．００ｍｍであることを特徴とする請求項４に記載の包装体である。
【００１４】
また、請求項６に記載の発明は、前記位置ガイドが、スマートフォンの面積の２５％以上が前面板に重なる位置に配置されていることを特徴とする請求項１〜５のいずれかに記載の包装体である。
【発明の効果】
【００１８】
本発明においては、前面板と可視情報との間の距離が、スマートフォンを前記前面板に重ねたとき、このスマートフォンに内蔵するカメラの焦点距離を調節することなく、前記可視情報を読み取ることができる距離であるため、この前面板にスマートフォン等の携帯情報端末を重ねて固定し、カメラのシャッターを切るだけで可視情報を撮影し読み取ることができる。もちろん、帯情報端末を前面板に固定するため、手振れも生じない。
【図面の簡単な説明】
【００１９】
【図１】図１は本発明の第１の実施形態の包装体に係り、図１（ａ）は斜視図、図１（ｂ）は縦断面図である。
【図２】図２は本発明の第１の実施形態の包装体の構成要素に係り、図２（ａ）はブランクの展開図、図２（ｂ）はラベルの平面図である。
【図３】図３は本発明の第１の実施形態の包装体の使用方法を示す斜視図である。
【図４】図４は本発明の第２の実施形態の包装体に係り、図４（ａ）は斜視図、図４（ｂ）は縦断面図である。
【図５】図５は本発明の第２の実施形態の包装体のブランクの展開図である。
【図６】図６は本発明の第３の実施形態の包装体の縦断面図である。
【発明を実施するための形態】
【００２０】
本発明の包装体は内容物収容部と表示板とを必須の構成要素とするものである。この包装体は、例えば、厚紙のブランクを組み立てて、その一部で内容物収容部を構成し、残余の部分で表示板を構成することによって製造することができる。あるいは、絞り成形されたプラスチックシートと、厚紙とを使用して、厚紙の一部を表示板とし、厚紙の残部とプラスチックシートとで内容物収容部を構成してもよい。
【００２１】
いずれの場合でも、内容物収容部は前面板を有している必要がある。そして、表示板は、この前面板と一定の距離を置いて、平行に配置されている必要がある。表示板には光学的に読み取り可能な可視情報が表示されており、したがって、この可視情報も前面板と一定の距離を置いて配置されている。この距離は、前面板に重ねてスマートフォン等の携帯情報端末を固定したとき、その焦点距離を調節することなく、内蔵したカメラで可視情報を撮影して読み取ることができる距離である。携帯情報端末の種類やその機種に応じてその距離は異なるが、後述する実施例から分かるように、６ｃｍ以上の距離があれば読み取り可能であり、７ｃｍ以上であればどの携帯情報端末でも読み取ることが可能である。この距離は１０ｃｍ以下でよい。なお、可視情報は、表示板に印刷することによって表示してもよいし、可視情報を印刷したラベルを表示板に貼り付けることによって表示してもよい。
【００２２】
次に、内容物収容部は、その内部に内容物を収容するため、前面板に加えて背面版を備え、しかも、前面板と背面版との上面、下面、両側面は封止されている必要がある。そして、前記表示板はその上面から延出して配置されており、このため、内容物収容部を開くことなく、この表示板に設けられた可視情報をスマートフォン等の携帯情報端末で撮影することができる。
【００２３】
ところで、携帯情報端末としてスマートフォンを使用する場合の便宜のため、前面板にこのスマートフォンを重ねたとき、そのカメラが可視情報に正対するように、前面板には、スマートフォンを重ねる位置を示す位置ガイドが設けられていることが望ましい。この位置ガイドは、印刷画像によって構成することができる。また、エンボス等によって設けられた凸部によって構成することもできる。この凸部の高さが０．０１ｍｍ以上であれば、スマートフォンの端部をこの凸部に押し当てることにより、スマートフォンを位置決めして、内蔵するカメラを可視情報に正対させることができる。凸部の高さは１ｍｍ以下でよく、これより高い場合には、包装体同士の積み重ねが困難となる。なお、位置ガイドは、これにスマートフォンを重ねて位置固定したとき、スマートフォンの面積の２５％以上が前面板に重なる位置に配置されていることが望ましい。
【００２４】
以下、具体例に基づいて本発明を説明する。
【００２５】
（第１の実施形態）
この例は、厚紙製のブランク１を組み立てると共に、可視情報を印刷したラベルを表示板に貼り付けることによって製造した包装体１００の例であり、図１（ａ）はその斜視図、図１（ｂ）は縦断面図である。
【００２６】
図１（ａ）及び（ｂ）に示すように、この包装体１００は、前面板１１１、背面板１３１、右側面板１２１、左側面板１４１、上面板１１２、下面板１１３，１３３で囲まれて封止された内容物収容部を有している。前面板１１１には、携帯情報端末としてスマートフォンを使用する場合の便宜のため、その位置ガイド１７が設けられており、この位置ガイド１７は、エンボスによって外面側に向けて突出する凸部で構成されている。そして、
この位置ガイド１７は、上面から下面に向かう線分と左右方向に向かう線分とで構成されているため、前面板１１１に沿ってスマートフォンを滑らせ、その上下端部及び左右端部を位置ガイド１７に押し当てることにより、スマートフォンを位置固定することができる。なお、前述のとおり、位置ガイド１７の高さは０．０１〜５．００ｍｍであり、スマートフォンを位置固定したとき、スマートフォンの面積の２５％以上が前面板に重なる位置に配置されている。なお、５．００ｍｍより大きいと、引っ掛かりの原因となることがある。好ましくは０．５０〜３．００ｍｍである。
【００２７】
また、背面板１３１は、その上面側に延出しており、その延出部分の先端を折り返して表示板１６を構成しており、この表示板１６には、可視情報Ａ１を印刷したラベルＡが貼り付けられている。この表示板１６と前面板１１１との間の距離Ｘは、前面板の位置ガイド１７を利用して携帯情報端末を位置固定したとき、焦点調節することなく、可視情報Ａ１を撮影してその内容を読み取ることができる距離である。すなわち、６ｃｍ以上、望ましくは７ｃｍ以上である。なお、２０ｃｍ以上になると可視情報Ａ１の読み取りが困難な場合がある。好ましくは１５ｃｍ以下である。
【００２８】
また、この表示板１６の略中央には、吊り下げ孔１８が設けられている。この吊り下げ孔１８を利用して、例えば店頭にて、吊り下げて展示陳列することができる。
【００２９】
この包装体１００は、図２（ａ）に示すブランク１と、図２（ｂ）に示すラベルＡとを使用して製造することができる。
【００３０】
すなわち、このブランク１では、前面板１１１、右側面板１２１、背面板１３１、左側面板１４１が、それぞれ、縦折罫線を介して連接されている。前面板１１１には接着片１５が連接されており、その上側には上面板１１２及び差し込み片１１４がこの順に連接されており、下側には内側下面板１１３が連接されている。また、前面板１１１には、所定の位置にエンボスによる凸部が形成されており、この凸部によって、スマートフォンの位置ガイド１７を構成している。
【００３１】
背面板１３１は前面板１１１より上方向に長く構成されており、しかも、その上部には、横折罫線を介して、表示板１６が連接されている。背面板１３１の上下方向の長さからこの表示板１６の上下方向の長さを引いた長さは、前面板１１１の上下方向の長さとほぼ同じである。また、背面板１３１の下側には外側下面板１３３が連接されている。なお、背面板１３１の上部及び表示板１６には、互いに対応する位置に吊り下げ孔１８が設けられており、前記横折罫線から折り曲げて表示板１６を背面板１３１に重ねたとき、これら両吊り下げ孔１８は同じ位置に重なる。
【００３２】
次に、右側面板１２１及び左側面板１４１の上下には、それぞれ、フラップ１２２，１２３及びフラップ１４２，１４３が連接している。なお、この右側面板１２１及び左側面板の幅は前面板１１１と可視情報Ａ１との間の距離を規制するものであるから、６ｃｍ以上の長さを有することが望ましい。更に望ましくは７ｃｍ以上である。
【００３３】
そして、このブランク１を使用して包装体１００を製造する際には、まず、前記縦折罫線を折り曲げて四角筒状胴部を形成すると共に、接着片１５を背面板１３１の端部に接着し、フラップ１２３，１４３を折り込み、さらに内側底板１１３と外側底板１３３とを折り重ねて接着することにより、前記四角筒状胴部の下部を封止する。そして、内容物を収容した後、天板１１２を重ね、差し込み片１１４を差し込むことにより、前記四角筒状胴部の上部を封止して、内容物収容部を形成する。次に、表示板１６を折り返して背面板１３１の上部に重ね、ラベルＡ（図２（ｂ）参照）を表示板１６に接着することにより、この包装体１００を製造することができる。
【００３４】
（第２の実施形態）
この例は、厚紙製のブランク２を組み立てると共に、可視情報を印刷したラベルを表示板に貼り付けることによって製造した包装体２００の例であり、第１の実施形態の包装体１００との相違は、表示板が前面板と背面版との中間に位置に位置していることである。図４（ａ）はその斜視図、図４（ｂ）は縦断面図を示している。
【００３５】
図４（ａ）及び（ｂ）に示すように、この包装体２００は、前面板２１１、背面板２３１、右側面板２２１、左側面板２４１、前側屋根板２１２、背面側屋根板２３２、及び下面板で囲まれて封止された内容物収容部を有している。前面板２１１には、位置ガイド２７が設けられており、この位置ガイド２７は印刷画像で構成されている。そして、この位置ガイド２７は、上面から下面に向かう線分と左右方向に向かう線分とで構成されているため、スマートフォンの上下端部及び左右端部を位置ガイド２７に位置固定することができる。なお、前述のとおり、位置ガイド２７は、スマートフォンを位置固定したとき、スマートフォンの面積の２５％以上が前面板２１１に重なる位置に配置されている。
【００３６】
前側屋根板２１２及び背面側屋根板２３２には、その先端に横折罫線を介して、それぞれ、前側表示板２１４，背面側表示板２３４が連接されており、この前側表示板２１４には、可視情報Ａ１を印刷したラベルＡが貼り付けられている。この表示板２１４，２３４と前面板２１１との間の距離は、前面板の位置ガイド２７を利用してスマートフォン等の携帯情報端末を位置固定したとき、焦点調節することなく、可視情報Ａ１を撮影してその内容を読み取ることができる距離である。
【００３７】
また、この表示板２１４，２３４の略中央には、吊り下げ孔２８が設けられている。この吊り下げ孔２８を利用して、例えば店頭にて、吊り下げて展示陳列することができる。
【００３８】
この包装体２００は、図５に示すブランク２と、図２（ｂ）に示すラベルＡとを使用して製造することができる。
【００３９】
すなわち、このブランク２では、前面板２１１、右側面板２２１、背面板２３１、左側面板２４１が、それぞれ、縦折罫線を介して連接されている。前面板２１１には接着片２５が連接されており、その上側には、前側屋根板２１２及び前側表示板２１４がこの順に連接されており、下側には内側下面板が連接されている。また、前面板１１１には、所定の位置に印刷画像が形成されており、この印刷画像によって、スマートフォンの位置ガイド２７を構成している。なお、前側表示板２１４の上部には吊り下げ孔２８が設けられている。
【００４０】
背面板２３１は前面板２１１と同形同大であり、前面板２１１と同様に、その上側には、背面側屋根板２３２及び背面側表示板２３４がこの順に連接されており、下側には外側下面板が連接されている。また、背面側表示板２３４の上部には吊り下げ孔２８が設けられている。背面側表示板２３４の吊り下げ孔２８は、前側表示板２１４の吊り下げ孔２８に対応する位置に配置されており、両表示板２１４，２３４を重ねたとき、これら両吊り下げ孔１８も同じ位置に重なる。
【００４１】
次に、右側面板２２１及び左側面板２４１の上側には、それぞれ、フラップ２２２及びフラップ２４２が連接している。フラップ２２２は、縦折罫線を介して、左右の屋根板２１２，２３２に連接しており、その上部から斜め方向に延びる斜め罫線を有している。また、フラップ２４２も縦折罫線を介して、左右の屋根板２１２，２３２に連接しており、その上部から斜め方向に延びる斜め罫線を有している。なお、この右側面板２２１及び左側面板２４１の幅は前面板２１１と可視情報Ａ１との間の距離を規制するものであるから、１２ｃｍ以上の長さを有することが望ましい。更に望ましくは１４ｃｍ以上である。
【００４２】
そして、このブランク２を使用して包装体２００を製造する際には、まず、包装体１００を製造する場合と同様に、前記縦折罫線を折り曲げて四角筒状胴部を形成すると共に、接着片２５を背面板２３１の端部に接着し、フラップを折り込み、さらに内側底板と外側底板とを折り重ねて接着することにより、前記四角筒状胴部の下部を封止する。そして、内容物を収容した後、フラップ２２２及びフラップ２４２の両者を、斜め罫線から折り曲げて包装体２００内側に向けて折り込むと共に、両屋根板２１２及び２３２を倒して、前側表示板２１４と背面側表示板２３４とを向かい合わせに重ね、両表示板２１４、２３４を互いに接着する。そして、最後に、ラベルＡ（図２（ｂ）参照）を前側表示板２１４に接着することにより、この包装体２００を製造することができる。
【００４３】
（第３の実施形態）
この例は、絞り成形されたプラスチックシートと、厚紙とを使用すると共に、可視情報を印刷したラベルを表示板に貼り付けることによって製造した包装体３００の例であり、図６は縦断面図である。
【００４４】
すなわち、この例では、真空成形法や圧空成形法等の方法で、プラスチックシートを絞り成形して、底面及びこの底面を囲む四方の側壁を有する容器状形状にしている。そして、その底面を前面板３１として、開口部に厚紙を接着して、この厚紙を背面板３２としている。この厚紙製背面板３２は、容器開口部より大きく、この開口部から上方に突出して、この突出部を表示板とし、この表示板にラベルＡ（図２（ｂ）参照）を接着すると共に、吊り下げ孔３８を設けている。
【００４５】
なお、底面、すなわち、前面板３１には、容器外面側に突出する凸部が設けられており、この凸部を位置ガイド３７としている。この凸部は、プラスチックシートを容器形状に成形する際に同時に形成することができる。
【実施例】
【００４６】
まず、市販の３種類のスマートフォンを使用して、内蔵するカメラの焦点距離を調整することなく、ＱＲコード(登録商標）を読み取れる距離を測定した。
【００４７】
この結果、第１のスマートフォンでは、スマートフォンとＱＲコード(登録商標）の距離が５ｃｍの場合及び６ｃｍの場合には読み取り困難であったが、７ｃｍの距離では読み取りが可能であった。
【００４８】
また、第２のスマートフォンでは、スマートフォンとＱＲコード(登録商標）の距離が５ｃｍの場合には読み取り困難であったが、６ｃｍ及び７ｃｍの距離では読み取りが可能であった。
【００４９】
また、第３のスマートフォンでは、スマートフォンとＱＲコード(登録商標）の距離が５ｃｍの場合及び６ｃｍの場合には読み取り困難であったが、７ｃｍの距離では読み取りが可能であった。
【００５０】
そこで、図１に示す包装体１００を作成した。この際、右側面板１２１及び左側面板の幅、すなわち、前面板１１１と表示板１６との間の距離との距離が、それぞれ、５ｃｍ、６ｃｍ、７ｃｍの包装体を作成した。
【００５１】
そして、位置合わせガイド１７の位置にスマートフォンを固定し、焦点調整することなくＱＲコード(登録商標）を撮影したところ、５ｃｍの距離では読み取ることができず、６ｃｍの距離では第２のスマートフォンを使用した場合に限って読み取ることができた。また、７ｃｍの距離では、どの機種のスマートフォンでも読み取ることが可能であった。
【符号の説明】
【００５２】
１００：包装体
１：ブランク
１１１：前面板    １１２：上面板    １１３：内側下面板    １１４：し込み片
１２１：右側面板    １２２：フラップ    １２３：フラップ
１３１：背面板    １３３：外側下面板
１４１：左側面板    １４２：フラップ    １４３：フラップ
１５：接着片
１６：表示板
１７：位置ガイド
１８：吊り下げ孔
２００：包装体
２：ブランク
２１１：前面板    ２１２：前側屋根板    ２１４：前側表示板
２２１：右側面板    ２２２：フラップ    
２３１：背面板    ２３２：背面側屋根板    ２３４：背面側表示板
２４１：左側面板    ２４２：フラップ
２５：接着片
２７：位置ガイド
２８：吊り下げ孔
３００：包装体
３１：前面板
３２：背面板
３７：位置ガイド
３８：吊り下げ孔
Ａ：ラベル    Ａ１：可視情報
Ｂ：スマートフォン
Ｘ：前面板と可視情報との間の距離
【図１】
0006790347.tif 000002
【図２】
0006790347.tif 000003
【図３】
0006790347.tif 000004
【図４】
0006790347.tif 000005
【図５】
0006790347.tif 000006
【図６】
0006790347.tif 000007